(57)【要約】      （修正有）【課題】効率的なポケットティッシュの配布を実現するポケットティッシュボックスを提供する。【解決手段】紙材により形成され、複数のポケットティッシュを積み重ねた状態で収納可能にされ、かつ収納されるポケットティッシュの溶着辺が正面側となるように形成された収納部２と、収納部の正面の下方側であって、収納状態で最下方となるポケットティッシュよりも上方のポケットティッシュに対応する高さ位置において水平方向に形成され、収納部内のポケットティッシュを溶着辺を摘んで取り出すことが可能とされた取出開口３と、取出開口の上辺側に形成された第１切欠５と、取出開口の下辺側で第１切欠との対応位置に形成され、第１切欠とは異なるサイズの第２切欠６と、収納部の正面以外の面において、取出開口の高さ位置から上方に向かって収納部の高さサイズの半分以下の長さで形成され、収納部の内部が視認可能にされた視認孔４と、を備える。【選択図】図１
0003230149.tif 000002
【実用新案登録請求の範囲】
【請求項１】
紙材により形成されるポケットティッシュボックスであり、
複数のポケットティッシュを積み重ねた状態で収納可能にされ、かつ収納されるポケットティッシュの溶着辺が正面側となるように形成された収納部と、
前記収納部の正面の下方側であって、収納状態で最下方となるポケットティッシュよりも上方のポケットティッシュに対応する高さ位置において水平方向に形成され、前記収納部内のポケットティッシュを前記溶着辺を摘んで取り出すことが可能とされた取出開口と、
前記取出開口の上辺側に形成された第１切欠と、
前記取出開口の下辺側で前記第１切欠との対応位置に形成され、前記第１切欠とは異なるサイズの第２切欠と、  
前記収納部の正面以外の面において、前記取出開口の高さ位置から上方に向かって前記収納部の高さサイズの半分以下の長さで形成され、前記収納部の内部が視認可能にされた視認孔と、を備えた
ポケットティッシュボックス。
【考案の詳細な説明】
【技術分野】
【０００１】
本考案はポケットティッシュを収納し配布等に用いることのできるポケットティッシュボックスに関する。
【背景技術】
【０００２】
ポケットティッシュには、携帯性に優れたティッシュペーパーとして販売されるものだけでなく、ノベルティや広告物として店頭や街頭において無料で配布されるものがある。こうしたポケットティッシュの配布においては、来店客や通行人に対して配り手となるスタッフによって配布が行われることが多い。
【０００３】
しかし、近年、配り手が声を掛けながら手渡しで配布を行う方法は、感染症の拡散防止や所謂ソーシャルディスタンス確保の観点から実施が困難とされる場合があった。
【０００４】
そこで、配り手を介さずにポケットティッシュの配布を行う方法として、例えば、特許文献１に示されるようなポケットティッシュボックス（特許文献１においては、ポケットティッシュホルダ）を店頭等に設置し、収得希望者自身がポケットティッシュを取り出すことにより配布を行う方法がある。
【先行技術文献】
【特許文献】
【０００５】
【特許文献１】実開昭５８−９８３７９号公報
【考案の概要】
【考案が解決しようとする課題】
【０００６】
ところで、上記のようなポケットティッシュボックスにおいては、効率的な配布を行うために、収得希望者がポケットティッシュボックスからスムーズにポケットティッシュを取り出せることが望ましい。
【０００７】
そこで、本考案は、感染防止を重視した上で収得希望者に対する効率的なポケットティッシュの配布を実現することを目的とする。
【課題を解決するための手段】
【０００８】
本考案に係るポケットティッシュボックスは、紙材により形成されるポケットティッシュボックスであり、複数のポケットティッシュを積み重ねた状態で収納可能にされ、かつ収納されるポケットティッシュの溶着辺が正面側となるように形成された収納部と、前記収納部の正面の下方側であって、収納状態で最下方となるポケットティッシュよりも上方のポケットティッシュに対応する高さ位置において水平方向に形成され、前記収納部内のポケットティッシュを前記溶着辺を摘んで取り出すことが可能とされた取出開口と、前記取出開口の上辺側に形成された第１切欠と、前記取出開口の下辺側で前記第１切欠との対応位置に形成され、前記第１切欠とは異なるサイズの第２切欠と、前記収納部の正面以外の面において、前記取出開口の高さ位置から上方に向かって前記収納部の高さサイズの半分以下の長さで形成され、前記収納部の内部が視認可能にされた視認孔と、を備えたものである。
【０００９】
これにより、収納部に収納されたポケットティッシュのうち最下方より上方に収納されたポケットティッシュが取出開口から取り出される。
【考案の効果】
【００１０】
本考案によれば、収納部に収納されたポケットティッシュのうち最下方より上方に収納されたポケットティッシュが取出開口から取り出されることによって、取り出されるポケットティッシュがその下のポケットティッシュの上を滑って取り出されるため、極めてスムーズな取り出し感を提供することができると共に、効率的なポケットティッシュの配布を実現することができる。
【図面の簡単な説明】
【００１１】
【図１】図２乃至図９と共に本考案ポケットティッシュボックスの実施の形態を示すものであり、本図は、ポケットティッシュボックス及びポケットティッシュの斜視図である。
【図２】ポケットティッシュボックスの展開図である。
【図３】ポケットティッシュボックスの正面図である。
【図４】ポケットティッシュボックスの背面図である。
【図５】ポケットティッシュボックスの左側面図である。
【図６】ポケットティッシュボックスの右側面図である。
【図７】ポケットティッシュボックスの平面図である。
【図８】ポケットティッシュボックスの底面図である。
【図９】ポケットティッシュが取り出される状態を示す側面図である。
【考案を実施するための形態】
【００１２】
以下に、本考案のポケットティッシュボックスを実施するための形態について、添付図面を参照して説明する。
【００１３】
以下の説明において示すポケットティッシュ５０は、ポリプロピレン（ＰＰ）やポリエチレン（ＰＥ）等を材料とする透明や半透明のフィルムで形成された長方形状の包装袋の中に、折りたたまれた状態のティッシュペーパーが封入されている。包装袋は長手方向における両端、即ち短辺が溶着された溶着辺５１として形成されている（図１参照）。
【００１４】
<ポケットティッシュボックスの構成>
まず、実施の形態のポケットティッシュボックス１の構成について説明する（図１乃至図８参照）。
【００１５】
図１はポケットティッシュボックス１の斜視図である。ポケットティッシュボックス１は、図２のように形成された紙材を破線に沿って折り曲げて組み立てられる。
【００１６】
ポケットティッシュボックス１は、ポケットティッシュ５０が収納される収納部２に所要の各部が形成されて構成されている（図１参照）。
【００１７】
収納部２は、長手方向が高さ方向にされ奥行きが幅より長くされた直方体の箱状に形成されている。したがって、収納部２には、ポケットティッシュ５０が、長手方向が前後方向にされ厚み方向に積み重ねられた状態で収納可能にされている。収納部２の上面は開閉可能にされている。収納部２の正面にはポケットティッシュ５０が取出可能にされた取出開口３が形成され、左側面には収納部２の内部が視認可能にされた視認孔４が形成されている。
【００１８】
取出開口３は、収納部２の正面における下側において水平方向に形成され、下辺が底面からポケットティッシュ５０の厚さ一つから二つ分程度上方に位置されている（図１及び図３参照）。取出開口３の上辺には第１切欠５が形成され、下辺には第２切欠６が形成されている。
【００１９】
第１切欠５は開口部の左右方向における中央部において上方に凸の半円状に形成されている。第２切欠６は、第１切欠５と対応した位置において下方に凸の半円状に形成されている。第１切欠５の径は第２切欠６の径より大きくされ、第１切欠５が親指に対応するサイズ、第２切欠６が人差し指に対応するサイズに形成されている。なお、第１切欠５と第２切欠６の形状は半円状に限らず、半楕円状やＶ字状等にされていてもよい。
【００２０】
取出開口３と第１切欠５及び第２切欠６との連続部は曲線状に形成されている。したがって、取出開口３と第１切欠５及び第２切欠６との連続部において角張った部分が形成されないため、使用時の安全性を確保することができると共に、指やポケットティッシュ５０が引っかかり取出開口３が意図せず変形や破損することを防止できる。
【００２１】
視認孔４は、収納部２の左側面の下側において、長手方向が上下方向にされ、長さが収納部２の高さの１／４から１／３程度にされた長穴状に形成されている（図１及び図５参照）。視認孔４の下端は取出開口３の下辺と略同じ高さに位置されている。なお、視認孔４の形状は長穴状に限られることはなく、矩形状や円形状に形成されていてもよい。
【００２２】
収納部２の背面における上端部には上方に突出した壁掛部７が設けられている。壁掛部７には留め孔７ａが形成されている（図１及び図７参照）。
【００２３】
<ポケットティッシュボックスの使用方法>
次に、実施の形態のポケットティッシュボックス１の使用方法について説明する。
【００２４】
ポケットティッシュボックス１は、収納部２に複数のポケットティッシュ５０が収納された状態（図９参照）で、例えば、店頭の設置台に置かれた状態で設置され、ポケットティッシュ５０の収得希望者は、取出開口３から指で摘んで前方（図９において矢印で示す方向）に引き出すことにより、ポケットティッシュ５０を取り出すことができる。
【００２５】
このように、ポケットティッシュボックス１を店頭等に設置することにより、来店客や通行人が任意にポケットティッシュ５０を収得することができるため、配り手となるスタッフを介さずに収得希望者に対してポケットティッシュ５０を配布することができる。
【００２６】
また、ポケットティッシュボックス１において、取出開口３は、収納部２の正面の下方側であって収納状態で最下方となるポケットティッシュ５０よりも上方のポケットティッシュ５０に対応する高さ位置において水平方向に形成されているため、例えば１番下のポケットティッシュ５０に積み重なる一つ上、又は二つ上のポケットティッシュ５０Ａに対応した位置に形成されている。
【００２７】
これにより、収得希望者は、取出開口３から指を入れると自然にポケットティッシュ５０Ａを摘むことになる。つまり、最下部よりも上のポケットティッシュ５０Ａを取り出すことになる。
【００２８】
このとき、取り出されるポケットティッシュ５０Ａは、その下方のポケットティッシュ５０の面を滑りながら取り出される。ポケットティッシュ５０（５０Ａ）の包装袋はＰＰやＰＥで形成されており、互いに滑り易い。そのため、ポケットティッシュ５０Ａは、その下のポケットティッシュ５０の上をなめらかに滑って取り出される。即ち収得希望者は極めてスムーズな取り出し感を得ることができる。
【００２９】
さらに、取出開口３の上辺には親指に対応した大きさの第１切欠５が形成され、下辺には人差し指に対応した大きさの第２切欠６が形成されている。
【００３０】
これにより、無用に大きな切欠を設けなくとも、親指と人差し指で摘むという動作を自然に行うことが可能となり、収得希望者がポケットティッシュ５０を取り出し易い構成にされていれる。また、取出開口３の下辺に第２切欠６を形成できるのは、そもそも取出開口３が、正面の最下方ではなくポケットティッシュ５０の一つ又は二つの厚み分程度、やや上方に形成されていることにもよるものである。
【００３１】
さらにまた、ポケットティッシュボックス１において、ポケットティッシュ５０は長手方向が前後方向にされた状態で収納部２に収納されている。つまり、ポケットティッシュ５０は収納部２に収納された状態において一方の溶着辺５１が正面側に位置されている。
【００３２】
これにより、収得希望者が取出開口３からポケットティッシュ５０を取り出す際に、溶着辺５１が摘まれて引き出されることになる。溶着辺５１には溶着によるヘリが形成されているため、長辺よりも摘み易く取り出しが容易となる。さらに、溶着辺５１は短辺であり、ポケットティッシュ５０Ａは長辺方向に引き出される。これにより、ポケットティッシュ５０Ａが下のポケットティッシュ５０の上を滑る長さが長くなり、取り出し時の円滑性が増すことで、取り出しを一層容易化することができる。
【００３３】
また、ポケットティッシュボックス１の左側面には、収納部２の内部を視認することができる視認孔４が形成されており、収納されたポケットティッシュ５０の残量を確認することができる。ポケットティッシュボックス１の設置者は、視認孔４を確認し、収納部２に収納されたポケットティッシュ５０が少なくなった場合には、収納部２の上面を開いてポケットティッシュ５０を補充することができる。
【００３４】
さらに、視認孔４は取出開口３と同じ高さ位置から上方に向かって形成されているため、取り出し可能なポケットティッシュ５０の有無が正確に確認できると共に、最下方に位置されるポケットティッシュ５０Ｂは視認されにくくされている。
【００３５】
ポケットティッシュボックス１においては、上述のように、最下方のポケットティッシュ５０Ｂは取り出しを円滑にする作用を得るという役割があり、通常は、取出開口３から抜き取られることを想定していない。ポケットティッシュ５０Ｂが視認孔４から見えやすいと、スタッフがまだ配布できるポケットティッシュ５０が残っていると誤認するおそれがあるが、本実施の形態では視認孔４から最下方のポケットティッシュ５０Ｂが見えにくいため、そのような誤認、及びそれによるポケットティッシュ５０の補充の遅れなども生じにくい。
【００３６】
また、視認孔４は収納部２の左側面において収納部２の高さの半分以下の長さで形成されている。視認孔４のサイズをあまり大きくすると側面の強度の低下を来すおそれがあるが、視認孔４の長さを収納部２の高さサイズの半分以下とすることで、側面の強度を確保した上で、収納部２の内部の十分な視認性を確保することができる。
【００３７】
つまり、視認孔４は、強度を保ちながらスタッフが収納部２に収納されたポケットティッシュ５０の収納状況を的確に判断できるように形成されている。
【００３８】
なお、視認孔４は右側面に形成されていてもよく、背面に形成されていてもよい。いずれにしても視認孔４の高さ位置や長さは同様とすることが好適である。
【００３９】
以上のように、ポケットティッシュボックス１は、収納部２に収納されたポケットティッシュ５０のうち最下方より上方に収納されたポケットティッシュ５０（５０Ａ）が取出開口３から取り出されることによって、取り出されるポケットティッシュ５０（５０Ａ）がその下のポケットティッシュの上を滑って取り出されるため、極めてスムーズな取り出し感を提供することができると共に、効率的なポケットティッシュの配布を実現することができる。
【００４０】
特に、スタッフが声を掛けながら来店客や通行人等にポケットティッシュ５０を手で配る必要がなくなるので、所謂ソーシャルディスタンスを維持し、感染防止を重視した上でのポケットティッシュ５０の配布において極めて有用である。
【００４１】
<その他>
ポケットティッシュボックス１は、図２のような展開図の紙材により供給することができ、提供のためのコストも低い。取出開口３や視認孔４、留め孔７ａは展開図の紙材においてミシン目等を形成しておき、組み立て時や使用に際して切り取られることにより開口や孔が形成されてもよい。
【００４２】
また、ポケットティッシュボックス１は、表面に所要のデザインを施すことが可能にされている。例えば、領域Ｐに組み立て方法やポケットティッシュ５０の補充方法の説明が記載され、領域Ｑにポケットティッシュ５０の取り出し方法が記載される（図２参照）。これにより、本体に使用方法が記載されているため、設置者は容易に組み立てて設置することができる共に、収得希望者はポケットティッシュ５０の取り出し方法を容易に理解することができる。さらに、他の領域に広告が印刷され、ポケットティッシュボックス１自体が広告物としての機能を有していてもよい。
【００４３】
さらにまた、ポケットティッシュボックス１は、留め孔７ａを店頭の壁面等のピンに引っかけることにより壁に掛けた状態で設置することもできる。これにより、設置場所の状況に応じて設置形態を選択することができる。なお、留め孔７ａの形状は円形に限らず、任意の形状に形成されていても良い。
【符号の説明】
【００４４】
１…ポケットティッシュボックス、２…収納部、３…取出開口、４…視認孔、５…第１切欠、６…第２切欠、５０…ポケットティッシュ、５１…溶着辺
【図１】
0003230149.tif 000003
【図２】
0003230149.tif 000004
【図３】
0003230149.tif 000005
【図４】
0003230149.tif 000006
【図５】
0003230149.tif 000007
【図６】
0003230149.tif 000008
【図７】
0003230149.tif 000009
【図８】
0003230149.tif 000010
【図９】
0003230149.tif 000011